(57)【特許請求の範囲】
【請求項１】
商品に関する発注を行う発注側コンピュータと、前記発注を受注し管理する受注管理装置と、前記受注管理装置からの発注を受注する受注側コンピュータと、が相互にネットワークに結合された電子商取引システムであって、
前記受注管理装置が、
(a)前記商品の発注を受付け可能なウエブサイトとしての画面情報を前記発注側コンピュータに発信する発信手段と、
(b)前記画面情報を用いて前記発注側コンピュータから送信された前記商品の発注数量に関する情報を記憶する受注管理手段と、
(c)前記商品と異なる所定の商品を販売する複数の販売店それぞれにおける前記所定の商品の販売数量に関する情報を記憶する販売情報管理手段と、
(d)前記販売情報管理手段に記憶された前記所定の商品の販売数量に関する情報を用いて、前記所定の商品の全販売量に対する前記複数の販売店それぞれにおける販売量の比率を算出し、該比率に基づいて前記複数の販売店のそれぞれに対する前記商品の発注の配分量を算出し記憶する配分算出手段と、
(e)前記配分算出手段に記憶された前記配分量に関する情報を、前記複数の販売店それぞれに設けられた受注側コンピュータに送信する受注配分手段と、
を備えることを特徴とする電子商取引システム。
【請求項２】
請求項１に記載の電子商取引システムにおいて、
前記所定の商品は、複数種類の商品からなっており、
前記配分算出手段は、前記複数種類の商品ごとに定められる重み付け係数を記憶しており、前記複数種類の商品ごとの販売数量に前記重み付け係数を乗じた上で合計することで前記複数の販売店それぞれにおける販売量を数値化し、該数値情報を用いて前記販売量の比率を算出する
ことを特徴とする電子商取引システム。
【請求項３】
請求項１または請求項２のいずれかに記載の電子商取引システムにおいて、
前記配分算出手段は、前記複数の販売店それぞれにおける前記受注管理装置からの発注に対する上限受注量を記憶しており、前記複数の販売店それぞれについて算出された前記配分量が前記上限受注量より多いか否かを判断し、多い場合には当該販売店に関しては上限受注量を新たな配分量として記憶する
ことを特徴とする電子商取引システム。
【請求項４】
請求項１ないし請求項３のいずれかに記載の電子商取引システムにおいて、
前記配分算出手段は、前記複数の販売店それぞれにおける前記受注管理装置からの発注に対する下限受注量を記憶しており、前記複数の販売店それぞれについて算出された前記配分量が前記下限受注量より少ないか否かを判断し、少ない場合には当該販売店に関しては０枚を新たな配分量として記憶する
ことを特徴とする電子商取引システム。
【請求項５】
商品に関する発注を行う発注側コンピュータと、前記発注を受注し管理する受注管理装置と、前記受注管理装置からの発注を受注する受注側コンピュータと、が相互に結合されたネットワークにおける前記受注管理装置であって、
(a)前記商品の発注を受付け可能なウエブサイトとしての画面情報を前記発注側コンピュータに発信する発信手段と、
(b)前記画面情報を用いて前記発注側コンピュータから送信された前記商品の発注数量に関する情報を記憶する受注管理手段と、
(c)前記商品と異なる所定の商品を販売する複数の販売店それぞれにおける前記所定の商品の販売数量に関する情報を記憶する販売情報管理手段と、
(d)前記販売情報管理手段に記憶された前記所定の商品の販売数量に関する情報を用いて、前記所定の商品の全販売量に対する前記複数の販売店それぞれにおける販売量の比率を算出し、該比率に基づいて前記複数の販売店のそれぞれに対する前記商品の発注の配分量を算出し記憶する配分算出手段と、
(e)前記配分算出手段に記憶された前記配分量に関する情報を、前記複数の販売店それぞれに設けられた受注側コンピュータに送信する受注配分手段と、
を備えることを特徴とする受注管理装置。
【請求項６】
受注管理装置に内蔵されたコンピュータにインストールされることにより、当該受注管理装置を請求項５に記載の受注管理装置として機能させるためのプログラムを記録していることを特徴とする、コンピュータ読取り可能な記録媒体。
【請求項７】
画像データのプリントサービスを発注する発注側コンピュータと、前記プリントサービスを受注し管理する受注管理装置と、前記受注管理装置からの前記プリントサービスの発注を受注する受注側コンピュータと、が相互にネットワークに結合されたネットワークプリントシステムであって、
前記受注管理装置が、
(a) 前記プリントサービスの発注を受付け可能な情報を前記発注側コンピュータに発信する発信手段と、
(b)前記発注を受付け可能な情報を用いて前記発注側コンピュータから送信された前記プリントサービスの発注数量に関する情報を記憶する受注管理手段と、
(c)前記プリントサービスと異なる所定の商品を販売する複数の販売店それぞれにおける前記所定の商品の販売数量に関する情報を記憶する販売情報管理手段と、
(d)前記販売情報管理手段に記憶された前記所定の商品の販売数量に関する情報を用いて、前記所定の商品の全販売量に対する前記複数の販売店それぞれにおける販売量の比率を算出し、該比率に基づいて前記複数の販売店のそれぞれに対する前記プリントサービスの発注の配分量を算出し記憶する配分算出手段と、
(e)前記配分算出手段に記憶された前記配分量に関する情報を、前記複数の販売店それぞれに設けられた受注側コンピュータに送信する受注配分手段と、
を備えることを特徴とするネットワークプリントシステム。
【請求項８】
画像データのプリントサービスを発注する発注側コンピュータと、前記プリントサービスを受注し管理する受注管理装置と、前記受注管理装置からの前記プリントサービスの発注を受注する受注側コンピュータと、が相互に結合されたネットワークにおける前記受注管理装置であって、
(a) 前記プリントサービスの発注を受付け可能な情報を前記発注側コンピュータに発信する発信手段と、
(b)前記発注を受付け可能な情報を用いて前記発注側コンピュータから送信された前記プリントサービスの発注数量に関する情報を記憶する受注管理手段と、
(c)前記プリントサービスと異なる所定の商品を販売する複数の販売店それぞれにおける前記所定の商品の販売数量に関する情報を記憶する販売情報管理手段と、
(d)前記販売情報管理手段に記憶された前記所定の商品の販売数量に関する情報を用いて、前記所定の商品の全販売量に対する前記複数の販売店それぞれにおける販売量の比率を算出し、該比率に基づいて前記複数の販売店のそれぞれに対する前記プリントサービスの発注の配分量を算出し記憶する配分算出手段と、
(e)前記配分算出手段に記憶された前記配分量に関する情報を、前記複数の販売店それぞれに設けられた受注側コンピュータに送信する受注配分手段と、
を備えることを特徴とする受注管理装置。
【発明の詳細な説明】
【０００１】
【発明の属する技術分野】
本発明は、商品に関する売買注文を発注するコンピュータと、売買注文を受注し管理する受注管理装置とを備える電子商取引の技術に関する。
【０００２】
【従来の技術】
従来、カメラの販売店は、カメラやその関連商品の販売を行うと共に、銀塩フィルムからのＤＰＥサービスや、あるいはデジタルカメラで撮影された写真画像のプリントサービスを行うことが一般的である。
【０００３】
一方、近年のインターネットの普及により、ネットを介して画像データを送付してプリントを依頼し、郵送などで届けるといった、インターネットを利用したフォトビジネスが普及しつつある。
【０００４】
【発明が解決しようとする課題】
しかし、上記のようなインターネットを介したプリントサービスについては、受注用のシステムの構築によって比較的容易に事業を構築することができるため、既存のカメラ販売店のみならず、デジタルカメラメーカーそのものも事業に参入してきている。
【０００５】
これは、これまでは販売店に任せていた画像の出力に関する部分をメーカーが独自に手がけるということであり、販売店にとってはそれまでの利益を失うことになる。
【０００６】
そこで、本発明は、プリント設備を保有しない新規参入事業者は既存の設備を保有する販売店などにプリント作業そのものは委託することが多いことを利用した上で、メーカー及び既存の販売店の双方にメリットのある電子商取引の仕組みを提供することを目的とする。
【０００７】
【課題を解決するための手段】
上記の課題を解決するため、請求項１の発明は、商品に関する発注を行う発注側コンピュータと、前記発注を受注し管理する受注管理装置と、前記受注管理装置からの発注を受注する受注側コンピュータと、が相互にネットワークに結合された電子商取引システムであって、前記受注管理装置が、(a)前記商品の発注を受付け可能なウエブサイトとしての画面情報を前記発注側コンピュータに発信する発信手段と、(b)前記画面情報を用いて前記発注側コンピュータから送信された前記商品の発注数量に関する情報を記憶する受注管理手段と、(c)前記商品と異なる所定の商品を販売する複数の販売店それぞれにおける前記所定の商品の販売数量に関する情報を記憶する販売情報管理手段と、(d)前記販売情報管理手段に記憶された前記所定の商品の販売数量に関する情報を用いて、前記所定の商品の全販売量に対する前記複数の販売店それぞれにおける販売量の比率を算出し、該比率に基づいて前記複数の販売店のそれぞれに対する前記商品の発注の配分量を算出し記憶する配分算出手段と、(e)前記配分算出手段に記憶された前記配分量に関する情報を、前記複数の販売店それぞれに設けられた受注側コンピュータに送信する受注配分手段とを備える。
【０００８】
また、請求項２の発明は、請求項１の発明に係る電子商取引システムにおいて、前記所定の商品は、複数種類の商品からなっており、前記配分算出手段は、前記複数種類の商品ごとに定められる重み付け係数を記憶しており、前記複数種類の商品ごとの販売数量に前記重み付け係数を乗じた上で合計することで前記複数の販売店それぞれにおける販売量を数値化し、該数値情報を用いて前記販売量の比率を算出する。
【００１１】
また、請求項３の発明は、請求項１または請求項２のいずれかに記載の電子商取引システムにおいて、前記配分算出手段は、前記複数の販売店それぞれにおける前記受注管理装置からの発注に対する上限受注量を記憶しており、前記複数の販売店それぞれについて算出された前記配分量が前記上限受注量より多いか否かを判断し、多い場合には当該販売店に関しては上限受注量を新たな配分量として記憶する。
【００１２】
また、請求項４の発明は、請求項１ないし請求項３のいずれかに記載の電子商取引システムにおいて、前記配分算出手段は、前記複数の販売店それぞれにおける前記受注管理装置からの発注に対する下限受注量を記憶しており、前記複数の販売店それぞれについて算出された前記配分量が前記下限受注量より少ないか否かを判断し、少ない場合には当該販売店に関しては０枚を新たな配分量として記憶する。
【００１３】
また、請求項５の発明は、商品に関する発注を行う発注側コンピュータと、前記発注を受注し管理する受注管理装置と、前記受注管理装置からの発注を受注する受注側コンピュータと、が相互に結合されたネットワークにおける前記受注管理装置であって、(a)前記商品の発注を受付け可能なウエブサイトとしての画面情報を前記発注側コンピュータに発信する発信手段と、(b)前記画面情報を用いて前記発注側コンピュータから送信された前記商品の発注数量に関する情報を記憶する受注管理手段と、(c)前記商品と異なる所定の商品を販売する複数の販売店それぞれにおける前記所定の商品の販売数量に関する情報を記憶する販売情報管理手段と、(d)前記販売情報管理手段に記憶された前記所定の商品の販売数量に関する情報を用いて、前記所定の商品の全販売量に対する前記複数の販売店それぞれにおける販売量の比率を算出し、該比率に基づいて前記複数の販売店のそれぞれに対する前記商品の発注の配分量を算出し記憶する配分算出手段と、(e)前記配分算出手段に記憶された前記配分量に関する情報を、前記複数の販売店それぞれに設けられた受注側コンピュータに送信する受注配分手段と、を備える。
【００１４】
また、請求項６の発明は、受注管理装置に内蔵されたコンピュータにインストールされることにより、当該受注管理装置を請求項５に記載の受注管理装置として機能させるためのプログラムを記録していることを特徴とする、コンピュータ読取り可能な記録媒体である。
【００１５】
また、請求項７の発明は、画像データのプリントサービスを発注する発注側コンピュータと、前記プリントサービスを受注し管理する受注管理装置と、前記受注管理装置からの前記プリントサービスの発注を受注する受注側コンピュータと、が相互にネットワークに結合されたネットワークプリントシステムであって、前記受注管理装置が、(a) 前記プリントサービスの発注を受付け可能な情報を前記発注側コンピュータに発信する発信手段と、(b)前記発注を受付け可能な情報を用いて前記発注側コンピュータから送信された前記プリントサービスの発注数量に関する情報を記憶する受注管理手段と、(c)前記プリントサービスと異なる所定の商品を販売する複数の販売店それぞれにおける前記所定の商品の販売数量に関する情報を記憶する販売情報管理手段と、(d)前記販売情報管理手段に記憶された前記所定の商品の販売数量に関する情報を用いて、前記所定の商品の全販売量に対する前記複数の販売店それぞれにおける販売量の比率を算出し、該比率に基づいて前記複数の販売店のそれぞれに対する前記プリントサービスの発注の配分量を算出し記憶する配分算出手段と、(e)前記配分算出手段に記憶された前記配分量に関する情報を、前記複数の販売店それぞれに設けられた受注側コンピュータに送信する受注配分手段と、を備える。
【００１６】
また、請求項８の発明は、画像データのプリントサービスを発注する発注側コンピュータと、前記プリントサービスを受注し管理する受注管理装置と、前記受注管理装置からの前記プリントサービスの発注を受注する受注側コンピュータと、が相互に結合されたネットワークにおける前記受注管理装置であって、(a) 前記プリントサービスの発注を受付け可能な情報を前記発注側コンピュータに発信する発信手段と、(b)前記発注を受付け可能な情報を用いて前記発注側コンピュータから送信された前記プリントサービスの発注数量に関する情報を記憶する受注管理手段と、(c)前記プリントサービスと異なる所定の商品を販売する複数の販売店それぞれにおける前記所定の商品の販売数量に関する情報を記憶する販売情報管理手段と、(d)前記販売情報管理手段に記憶された前記所定の商品の販売数量に関する情報を用いて、前記所定の商品の全販売量に対する前記複数の販売店それぞれにおける販売量の比率を算出し、該比率に基づいて前記複数の販売店のそれぞれに対する前記プリントサービスの発注の配分量を算出し記憶する配分算出手段と、(e)前記配分算出手段に記憶された前記配分量に関する情報を、前記複数の販売店それぞれに設けられた受注側コンピュータに送信する受注配分手段と、を備える。
【００１７】
【発明の実施の形態】
＜電子商取引システムの要部構成＞
図１は、本発明の実施形態に係る電子商取引システム１の概略構成を示す図である。この電子商取引システム１は、デジタル画像のプリントを各ユーザ（発注者）がインターネットを介して発注し、それを受注したメーカが、自社製のデジタルカメラを販売し、かつ銀塩プリントを取扱う販売店（受注者）に配分するシステムの一例を示している。
【００１８】
電子商取引システム１は、ユーザが保有するコンピュータ２と、受注者が保有するコンピュータ３と、例えばデジタルカメラのメーカなどの管理者が保有するコンピュータ４とおよびサーバ５とが、相互にネットワーク（例えばインターネット）１０に結合され、情報処理要素群が構成されている。実際には、ネットワーク１０に接続するユーザのコンピュータ２および受注者のコンピュータ３は多数存在してもよいが、図示の便宜上、各１台に限定して示している。
【００１９】
各コンピュータ２、３、４は、メモリ、ＣＰＵ、磁気ディスク、ディスプレイ、マウス等を備えた一般的コンピュータによって実現される。このコンピュータ２は、ユーザによって画像データに関するプリントの売買注文を発注するための装置として機能する。
【００２０】
サーバ５は、メモリ、ＣＰＵ、磁気ディスク等を備えており、ＥＣサイトであるＷｅｂ  Ｐｈｏｔｏ  Ｓｉｔｅの情報を発信し、ユーザからのプリントの売買注文を受注し管理する受注管理装置として機能する。また、サーバ５は、例えば光ディスクなどの記録媒体９を装着可能なドライブ５１を有しており、記録媒体９に記録されているプログラムデータをサーバ５のメモリに格納することができる。これにより、この格納したプログラムをサーバ５の動作に反映できることとなる。
【００２１】
＜電子商取引システム１の動作＞
以上の構成を有する電子商取引システム１において、サーバ５から発信されるＷｅｂ  Ｐｈｏｔｏ  Ｓｉｔｅに対するユーザ、管理者、受注者の操作を以下で説明する。
【００２２】
＜ユーザの操作＞
ユーザは、コンピュータ２に対する操作入力を行うことにより、サーバ５のＷｅｂ  Ｐｈｏｔｏ  Ｓｉｔｅにアクセスし、デジタル画像の銀塩プリントを発注する。
【００２３】
図２は、ユーザのコンピュータ２で表示される画面の遷移を説明する図である。以下では、コンピュータ２で表示される各画面Ｕ１〜Ｕ６について説明する。
【００２４】
（１）ユーザログイン画面
図３は、ユーザログイン画面Ｕ１を示す図である。
【００２５】
コンピュータ２のＷｅｂブラウザで、ユーザ向けＵＲＬ（Ｕｎｉｆｏｒｍ  Ｒｅｓｏｕｒｃｅ  Ｌｏｃａｔｏｒ）を入力しＷｅｂ  Ｐｈｏｔｏ  Ｓｉｔｅにアクセスすると、初期画面としてユーザＩＤとパスワードを入力するように求められる。
【００２６】
Ｗｅｂ  Ｐｈｏｔｏ  Ｓｉｔｅへのアクセスが初回の場合、ユーザＩＤを取得していないため、「ユーザ登録」ボタンＢｕ１１を選択して、ユーザ登録画面Ｕ２（図４）に遷移する。
【００２７】
また、ユーザＩＤを取得している場合は、ユーザＩＤとパスワードとを該当欄に入力後、「Ｇｏ」ボタンＢｕ１２を選択すると、写真画像Ｂｏｘ画面Ｕ３（図５）に遷移することとなる。
【００２８】
（２）ユーザ登録画面
図４は、ユーザ登録画面Ｕ２を示す図である。
【００２９】
ユーザは、ユーザ登録画面において、姓、名、Ｅ−ｍａｉｌアドレス、希望ユーザＩＤ、パスワードを該当欄に入力し、「ユーザ登録」ボタンＢｕ２１を選択すると、ユーザ登録される。ユーザ登録が成功すると、写真画像Ｂｏｘ画面Ｕ３（図５）に遷移する。
【００３０】
ここで、同一のユーザＩＤが既に登録されている場合には、その旨を警告した後、「ユーザＩＤ」欄のみを空白にしてユーザ登録画面Ｕ２を再度表示し、新しいユーザＩＤの入力を促すこととなる。
【００３１】
（３）写真画像Ｂｏｘ画面
図５は、写真画像Ｂｏｘ画面Ｕ３を示す図である。
【００３２】
写真画像Ｂｏｘ画面Ｕ３には、ユーザがこれまでアップロードした画像がサムネイル形式で表示される。また、サムネイル画像の下には、ファイル名Ｆｕ３とチェックボックスＣｕ３とが表示される。
【００３３】
「アップロード」ボタンＢｕ３１を選択すると、アップロード画面Ｕ４（図６）に遷移する。
【００３４】
また、「削除」ボタンＢｕ３２を選択すると、チェックボックスＣｕ３にチェックが入っている画像がＷｅｂ  Ｐｈｏｔｏ  Ｓｉｔｅから削除される。
【００３５】
「プリント注文」ボタンＢｕ３３を選択すると、チェックボックスＣｕ３にチェックが入っている画像について銀塩プリントを注文するためのプリント注文画面Ｕ５（図７）に遷移する。
【００３６】
（４）画像のアップロード画面
図６は、画像のアップロード画面Ｕ４を示す図である。
【００３７】
パス入力欄Ｐｕ４にＷｅｂ  Ｐｈｏｔｏ  Ｓｉｔｅにアップロードする画像のパスを入力する。
【００３８】
「Ｕｐｌａｏｄ」ボタンＢｕ４１を選択すると、パス入力欄Ｐｕ４で指定される画像ファイルをＷｅｂ  Ｐｈｏｔｏ  Ｓｉｔｅに転送する。この転送が完了すると、写真画像Ｂｏｘ画面Ｕ３（図５）に遷移し、新しく転送された画像を加えて、ユーザがアップロードした画像をサムネイル表示する。
【００３９】
（５）プリント注文画面
図７は、プリント注文画面Ｕ５を示す図である。
【００４０】
初期画面では、写真画像Ｂｏｘ画面Ｕ３でチェックが入り選択された画像がリスト表示される。ここでは、画像の右側に、銀塩プリントのサイズ、単価が表示され、ユーザは、注文枚数をエディットボックスＥｕ５に入力する。そして、注文枚数が変更されるたびに、合計金額の表示Ｄｕ５がアップデートされることとなる。
【００４１】
注文が決定すれば、「精算」ボタンＢｕ５１を選択して、精算画面Ｕ６（図８）に遷移する。
【００４２】
ユーザは、注文が気に入らなければ、「写真画像Ｂｏｘ」ボタンＢｕ５２で、写真画像Ｂｏｘ画面Ｕ３（図５）に戻ることができる。
【００４３】
（６）精算画面
図８は、精算画面Ｕ６を示す図である。
【００４４】
ユーザは、銀塩プリントの郵送先に関する情報として、「郵便番号」欄に郵便番号、「住所」欄に住所、「電話番号」欄に電話番号を入力する。
【００４５】
そして、プリント代金のクレジット決済のため、ユーザは「クレジット会社」コンボボックスで決済を行うクレジット会社を選択し、「有効期限」欄にクレジットカードの有効期限、「クレジットカード番号」欄にクレジットカード番号を入力する。
【００４６】
入力したデータを確認後、「ＯＫ」ボタンＢｕ６１を選択すると、決済情報がＷｅｂ  Ｐｈｏｔｏ  Ｓｉｔｅに送信され、プリントの発注が完了し、写真画像Ｂｏｘ画面Ｕ３（図５）に遷移する。
【００４７】
ユーザが精算を中止したい場合は、「プリント注文へ戻る」ボタンＢｕ６２を選択すれば、プリント注文画面Ｕ５（図７）に戻ることとなる。
【００４８】
＜管理者の操作＞
管理者は、コンピュータ４に対する操作入力を行うことにより、サーバ５のＷｅｂ  Ｐｈｏｔｏ  Ｓｉｔｅにアクセスし、ユーザから受注した銀塩プリントの発注管理を行う。
【００４９】
図９は、管理者のコンピュータ４で表示される画面の遷移を説明する図である。以下では、コンピュータ２で表示される各画面Ｍ１〜Ｍ１１について説明する。
【００５０】
（１）管理者ログイン画面
図１０は、管理者ログイン画面Ｍ１を示す図である。
【００５１】
コンピュータ４のＷｅｂブラウザで、プリント管理者向けＵＲＬを入力しＷｅｂ  Ｐｈｏｔｏ  Ｓｉｔｅにアクセスすると、初期画面として管理者ＩＤとパスワードとを入力するように求められる。管理者ＩＤとパスワードとを該当欄に入力した後、「Ｇｏ」ボタンＢｍ１１を選択すると、プリント発注画面Ｍ２（図１１）に遷移する。
【００５２】
（２）プリント発注管理画面
図１１は、プリント発注管理画面Ｍ２を示す図である。
【００５３】
プリント発注管理画面Ｍ２では、販売店にプリント注文を分配するための設定を行う。
【００５４】
「ポイント集計日」Ｄｍ２１は、販売店の製品売上高から計算されるポイントを集計する時間間隔を設定する。
【００５５】
「プリント発注日」Ｄｍ２２は、ポイントに応じて、販売店に発注するプリントの時間間隔を設定する。
【００５６】
「製品別ポイント比重設定」ボタンＢｍ２１を選択すると、製品別ポイント比重設定画面Ｍ３（図１２）に遷移する。
【００５７】
「プリント店管理」ボタンＢｍ２２を選択すると、プリント店管理画面Ｍ６（図１５）に遷移する。
【００５８】
「プリント進捗管理」ボタンＢｍ２３を選択すると、プリント進捗管理画面Ｍ９（図１８）に遷移する。
【００５９】
「終了」ボタンＢｍ２４を選択すると、プリント発注管理画面Ｍ２を終了することとなる。
【００６０】
（３）製品別ポイント比重設定画面
図１２は、製品別ポイント比重設定画面Ｍ３を示す図である。
【００６１】
製品別ポイント比重設定画面Ｍ３においては、プリントの分配量を決める販売店のポイントの計算方法を設定する。この販売店のポイントは、（ポイント集計日間に販売した製品の台数）×（付加ポイント／台）について製品ごとの総和で算出される。
【００６２】
「追加」ボタンＢｍ３１を選択すると、「製品別ポイント比重設定  追加」ダイアログボックスＭ４（図１３）が表示される。ここで、製品名、付加ポイント／台を該当欄に入力して、ダイアログボックスの「追加」ボタンＢｍ４１を選択すれば、製品別ポイント比重設定画面Ｍ３に、ポイントを付加する製品が追加される。また、「Ｃａｎｃｅｌ」ボタンＢｍ４２を選択すると、製品別ポイント比重設定画面に、製品を付加することなく、「製品別ポイント比重設定  追加」ダイアログボックスＭ４を終了する。
【００６３】
「修正」ボタンＢｍ３２（図１２）を選択すると、製品別ポイント比重設定画面Ｍ３のリストＬｍ３で選択されている製品Ｐｍ３（網掛部）について、「製品別ポイント比重設定  修正」ダイアログボックスＭ５（図１４）が表示される。ここで、「付加ポイント／台」の修正値を該当欄に入力して、ダイアログボックスＭ５の「修正」ボタンＢｍ５１を選択すれば、製品別ポイント比重画面Ｍ３中の該当製品の「付加ポイント／台」が修正される。また、「Ｃａｎｃｅｌ」ボタンＢｍ５２を選択すると、製品別ポイント比重設定画面Ｍ３の「付加ポイント／台」を修正することなく「製品別ポイント比重設定  修正」ダイアログボックスＭ５を終了する。
【００６４】
（４）プリント店管理画面
図１５は、プリント店管理画面Ｍ６を示す図である。
【００６５】
プリント店管理画面Ｍ６では、プリントを受注する販売店と現在の獲得ポイントがリストＬｍ６として表示される。
【００６６】
「追加」ボタンＢｍ６１を選択すると、「プリント店管理  追加」ダイアログボックスＭ７（図１６）が表示される。ここで、店名などを該当欄に入力し、「追加」ボタンＢｍ７１を選択すると、プリント管理画面にプリント受注する販売店が追加される。また、「Ｃａｎｃｅｌ」ボタンＢｍ７２を選択すると、販売店を追加することなくダイアログボックスＭ７を終了する。なお、「特約」のチェックボックスＣｍ７は、受注上限、下限を特に定めていない販売店で特別に契約するものがチェックされる。この特約販売店により、後述するプリント注文の端数処理が行われることとなる。
【００６７】
「修正」ボタンＢｍ６２（図１５）を選択すると、リストＬｍ６で選択された販売店の情報がエディットボックスＥｍ８に表示される「プリント店管理  修正」ダイアログボックスＭ８（図１７）に移行する。エディットボックスＥｍ８において所望の項目を修正後、「修正」ボタンＢｍ８１を選択すると、その項目が修正されプリント店管理画面Ｍ６の表示が更新される。また、「Ｃａｎｃｅｌ」ボタンＢｍ８２を選択すると、エディットボックスＥｍ８における項目を修正することなく、ダイアログボックスＭ８を終了する。
【００６８】
（５）プリント進捗管理画面
図１８は、プリント進捗管理画面Ｍ９を示す図である。
【００６９】
プリント進捗管理画面Ｍ９には、納期遅れのプリント作業がリストＬｍ９として表示される。
【００７０】
このリストＬｍ９からプリント作業Ｐｍ９（網掛部）を選択して、「お客様情報」ボタンＢｍ９１を選択すると、「お客様情報」ダイアログボックスＭ１０（図１９）が現れ、顧客情報が表示される。このダイアログボックスの「戻る」ボタンＢｍ１０１を選択すると、ダイアログボックスＭ１０が消去され、プリント進捗管理画面Ｍ９に戻る。
【００７１】
リストＬｍ９からプリント作業を選択して、「他店振り替え」ボタンＢｍ９２を選択すると、「他店振り替え」ダイアログボックスＭ１１（図２０）が現れ、プリント作業を代行してくれる「振替可能店」がリストＬｍ１１に表示される。
【００７２】
振替可能店を決めるアルゴリズムは、後述するプリント作業の自動分配と同様となる。ダイアログボックスＭ１１の「振替」ボタンＢｍ１１１を選択すると、プリント作業の担当店が変更される。その後、ダイアログボックスＭ１１が消去され、プリント進捗管理画面Ｍ９を更新する。また、「Ｃａｎｃｅｌ」ボタンＢｍ１１２を選択すると、ダイアログボックスＭ１１が消去され、プリント進捗管理画面Ｍ９に戻ることとなる。
【００７３】
上述した各画面Ｍ１〜Ｍ１１において設定された情報を反映し、サーバ５のＷｅｂ  Ｐｈｏｔｏ  Ｓｉｔｅでは、プリント作業を自動的に分配する。以下では、この自動分配について説明する。
【００７４】
まず、各販売店におけるデジタルカメラの販売情報を取得し、管理するサーバ５において、販売店別のポイント集計を行う。具体的には、図２１に示すように、販売店における機種別売上台数×（付加ポイント／台）の総和を、その販売店の獲得ポイントにする。このポイントは、プリント管理画面Ｍ２で設定されるポイント集計日ごとに集計して更新する。このように、デジタルカメラの売上高をベースに、複数種類のデジタルカメラごとに定められる重み付けを行って、以下で説明するプリントの配分量が決定されることとなる。
【００７５】
次に、ポイントシェアによるプリントの分配を行う。具体的には、プリント管理画面Ｍ２で設定されるポイント発注日ごとに、プリントを分配して、販売店に発注する。販売店ごとの配分量の決め方については、図２２に示す具体例を挙げて説明する。この具体例は、１０００枚のプリントを配分する例となっている。
【００７６】
図２２（ａ）に示すように、ポイントシェアが上位の販売店から、プリント発注量を決定する。ここで、○×△カメラのプリント上限が２００枚であるため、ポイントシェアから算出される割当プリント枚数は５００枚であるが、実際に割当てられる実割当枚数は２００枚に制限される。
【００７７】
次に、図２２（ｂ）に示すように、○×△カメラに実際に割当てられた２００枚を除き、残りのプリントは８００枚であるため、この８００枚を○×△カメラを除く残りの販売店にポイントシェアに応じて配分する。
【００７８】
さらに、図２２（ｃ）に示すように、○×カメラでは、割当プリント枚数がプリント下限５００枚を下回っているため、実割当枚数を０枚にして、未割当の８００枚を、残った販売店で分配する。
【００７９】
そして、図２２（ｄ）に示すように、プリント配分は、各ユーザからの注文ごとに配分するため、割当プリント枚数を丁度に配分できない場合がある。この場合には、注文の組合せを調整して、割当プリント枚数と実割当枚数との差が最小となるように各販売店に配分することとなる。
【００８０】
最後に、図２２（ｅ）に示すように、特約販売店は端数処理のためプリント上限、下限が設定されていないので、端数の注文処理、または他の販売店が注文を受理しない場合にプリントが割当てられる。具体的には、特約店である○×プリントに端数の４枚が実際に割当てられることとなる。このように、引き取り手のない仕事を行う特約店を確保すると、プリント配分がスムーズに行われる。
【００８１】
以上のサーバ５の配分動作により、デジタルカメラの販売情報に応じて各販売店にプリント注文の配分量が設定されるため、その配分量に基づきサーバ５で受注した売買注文を各販売店にスムーズに配分できることとなる。
【００８２】
以上で説明したプリント作業の自動分配をフローチャートで説明する。
【００８３】
図２３は、プリント作業の分配の動作を説明するフローチャートである。
【００８４】
ステップＳ１では、本日の日付を取得する。これは、サーバ５が有する計時機能を利用して日付情報を取得することとなる。
【００８５】
ステップＳ２では、ステップＳ１で取得した日付けが、プリント発注日を越えているかを判定する。このプリント発注日は、プリント発注管理画面Ｍ２で設定される次回の発注日情報から取得される。ここで、プリント発注日を越えている場合には、ステップＳ３に進み、越えていない場合には、ステップＳ１に戻る。
【００８６】
ステップＳ３では、ステップＳ１で取得した日付けが、ポイント集計日を越えているかを判定する。このポイント集計日は、プリント発注管理画面Ｍ２で設定される次回の集計日情報から取得される。ここで、ポイント集計日を越えている場合には、ステップＳ４に進み、越えていない場合には、ステップＳ１に戻る。
【００８７】
ステップＳ４では、特約店を除く全販売店のポイントの総和を計算する（後述）。
【００８８】
ステップＳ５では、ステップＳ４で計算されたポイントの総和に基づき、特約店を除く各販売店のポイントシェアを計算する。
【００８９】
ステップＳ６では、未割当のプリント枚数を、ユーザから受注した総プリント枚数に設定する。
【００９０】
ステップＳ８では、ポイントシェアｎ番目の販売店（特約店を除く）の仮割当プリント枚数に、（総プリント枚数）×（シェアｎ番目の販売店（特約店を除く）のポイントシェア）を代入する（後述）。
【００９１】
ステップＳ８では、ポイントシェアｎ番目の販売店（特約店を除く）への実割当枚数を計算する。
【００９２】
ステップＳ９では、未割当のプリント枚数からステップＳ９で設定された実割当枚数の総和を差し引いたもので、未割当のプリント枚数を更新する。
【００９３】
ステップＳ１０では、全ての販売店（特約店を除く）について処理が完了したかを判定する。ここで、処理が完了した場合には、ステップＳ１１に進み、処理が完了してない場合には、ステップＳ７に戻る。
【００９４】
ステップＳ１１では、（受注した総プリント枚数−実割当枚数の総和）を特約店の数で除算した結果のプリント枚数を特約店に分配する。これにより、未割当となっているプリントの端数が特約店で均等に配分されることとなる。
【００９５】
図２４は、上記のステップＳ４に対応する全販売店（特約店を除く）のポイント計算を説明するフローチャートである。
【００９６】
まず、ポイント総和に０を代入した後、後で詳述する販売店のポイント計算を行う（ステップＳ２１）。
【００９７】
ステップＳ２２では、ポイント総和に販売店のポイントを加算した値で、ポイント総和を更新する。
【００９８】
ステップＳ２３では、特約店を除く全販売店の計算が完了したかを判定する。ここで、計算が完了している場合には、ステップＳ５に進み、完了していない場合には、ステップＳ２１に戻る。
【００９９】
図２５は、上記のステップＳ２１に対応する販売店のポイント計算を説明するフローチャートである。
【０１００】
まず、販売店のポイントに０を代入した後、製品への付加ポイントに販売台数を乗算した値を、製品ポイントに代入する（ステップＳ２５）。
【０１０１】
ステップＳ２６では、販売店のポイントに、ステップＳ２５で算出された製品ポイントを加算した値で、販売店のポイントを更新する。
【０１０２】
ステップＳ２７では、全製品の計算が完了したかを判定する。ここで、計算が完了している場合には、ステップＳ２２に進み、完了していない場合には、ステップＳ２５に戻る。
【０１０３】
図２６は、上記のステップＳ８に対応するポイントシェアｎ番目の販売店（特約店を除く）への実割当枚数の計算を説明するフローチャートである。
【０１０４】
ステップＳ３１では、仮割当プリント枚数が、販売店の受注上限より大きいかを判定する。この販売店の受注上限は、プリント店管理画面Ｍ６で設定される受注上限データから取得される。ここで、仮割当プリント枚数が受注上限より大きい場合には、ステップＳ３２に進み、大きくない場合には、ステップＳ３３に進む。
【０１０５】
ステップＳ３２では、仮割当プリント枚数が受注上限を上回っているため、仮割当枚数に販売店の受注上限を代入する。これにより、プリント注文の配分量が受注上限より大きい場合には、当該販売店の配分量を受注上限に制限するため、販売店の事情を考慮した配分が可能となる。
【０１０６】
ステップＳ３３では、仮割当プリント枚数が、販売店の受注下限より小さいかを判定する。この販売店の受注下限は、プリント店管理画面Ｍ６で設定される受注下限データから取得される。ここで、割当プリント枚数が受注下限より小さい場合には、ステップＳ３４に進み、小さくない場合には、ステップＳ３５に進む。
【０１０７】
ステップＳ３４では、仮割当プリント枚数が受注下限を下回っているため、販売店の実割当枚数に０を代入する。これにより、プリント注文の配分量が受注下限より小さい場合には、当該販売店の配分を禁止するため、販売店の事情を考慮した配分が可能となる。
【０１０８】
ステップＳ３５では、発注の組み合わせの処理を行う（後述）。
【０１０９】
図２７は、上記のステップＳ３５に対応する発注の組み合わせの処理を説明するフローチャートである。
【０１１０】
ステップＳ４１では、例えば、図２８に示す発注枚数と注文数との関係を表すヒストグラムを作成する。
【０１１１】
ステップＳ４２では、残り割当枚数に、仮割当プリント枚数を代入する。
【０１１２】
ステップＳ４３では、残り割当枚数を超えなくて、一番枚数が近い発注枚数Ａを調べる。例えば、残り割当枚数が１００枚となっている場合には、図２８に示す例において、２５枚がこの発注枚数Ａとなる。
【０１１３】
ステップＳ４４では、残り割当枚数が、（発注枚数Ａ）×（注文数Ａ）より小さいかを判定する。ここで、小さい場合には、ステップＳ４５に進み、小さくない場合には、ステップＳ４６に進む。
【０１１４】
ステップＳ４５では、発注枚数Ａのうち「残り割当枚数／発注枚数Ａ（小数点以下切捨て）」分を発注する。
【０１１５】
ステップＳ４６では、発注枚数Ａを全て発注する。
【０１１６】
ステップＳ４７では、仮割当プリント枚数から発注したプリント枚数の総和を差し引いたものを、残り割当枚数に代入する。
【０１１７】
ステップＳ４８では、残り割当枚数が発注枚数の最小値Ｂ以下であるかを判定する。図２８に示す例では、この発注枚数の最小値が２２枚となる。ここで、残り割当枚数が発注枚数の最小値Ｂ以下である場合には、ステップＳ４９に進み、最小値Ｂ以下でない場合には、ステップＳ４３に戻る。
【０１１８】
ステップＳ４９では、発注したプリント枚数の総和が、販売店の受注下限枚数より小さいかを判定する。この販売店の受注下限は、プリント店管理画面Ｍ６で設定される受注下限データから取得される。ここで、発注したプリント枚数の総和が受注下限枚数より小さい場合には、ステップＳ５０に進み、小さくない場合には、ステップＳ５３に進む。
【０１１９】
ステップＳ５０では、発注枚数の最小値Ｂの注文を１つ発注する。
【０１２０】
ステップＳ５１では、発注したプリント枚数の総和が、販売店の受注上限枚数より大きいかを判定する。この販売店の受注上限は、プリント店管理画面Ｍ６で設定される受注上限データから取得される。ここで、発注したプリント枚数の総和が受注上限枚数より大きい場合には、ステップＳ５２に進み、大きくない場合には、ステップＳ５３に進む。
【０１２１】
ステップＳ５２では、実割当枚数に０を代入する。これは、発注量が受注上限と受注下限との間に入らないため、販売店への発注ができないためである。
【０１２２】
ステップＳ５３では、仮割当プリント枚数から発注したプリント枚数の総和を差し引いたものを、実割当枚数に代入する。
【０１２３】
＜受注者の操作＞
プリントの受注者（販売店）は、コンピュータ３に対する操作入力を行うことにより、サーバ５のＷｅｂ  Ｐｈｏｔｏ  Ｓｉｔｅにアクセスし、配分された銀塩プリントの受注処理を行う。
【０１２４】
図２９は、受注者のコンピュータ３で表示される画面の遷移を説明する図である。以下では、コンピュータ３で表示される各画面Ｒ１〜Ｒ３について説明する。
【０１２５】
（１）受注者ログイン画面
図３０は、受注者ログイン画面Ｒ１を示す図である。
【０１２６】
コンピュータ３のＷｅｂブラウザで、プリント受注者向けＵＲＬを入力しＷｅｂ  Ｐｈｏｔｏ  Ｓｉｔｅにアクセスすると、初期画面として受注者ＩＤとパスワードとを入力するように求められる。受注者ＩＤとパスワードとを該当欄に入力後、「Ｇｏ」ボタンＢｒ１１を選択すると、プリント受注画面Ｒ２（図３１）に遷移する。
【０１２７】
（２）プリント受注画面
図３１は、プリント受注画面Ｒ２を示す図である。
【０１２８】
プリント受注画面Ｒ２では、現在、発注されている仕事がリストＬｒ２として表示されている。
【０１２９】
リストＬｒ２からプリント作業Ｐｒ２を選択して、「ダウンロード」ボタンＢｒ２１を選択し、顧客の写真画像データを保存する保存先を指定すると、写真画像データは指定された保存先にセーブされる。
【０１３０】
受注者は、写真画像を銀塩プリント後、プリントを発注者に郵送することとなるが、この発送作業が完了すれば、プリント作業の終了を登録するため、リストＬｒ２からプリント作業を選択して、「送付済／未送」ボタンＢｒ２２を選択する。これにより、プリント作業の状況が「送付済」に変更され、プリント作業の終了が登録される。ここで、何らかのトラブルが発生し、プリント作業の状況を「送付済」から「未送」に戻したい場合には、戻したいプリント作業をリストＬｒ２で選択し、「送付済／未送」ボタンＢｒ２２を選択する。
【０１３１】
リストＬｒ２からプリント作業を選択して、「お客様情報」ボタンＢｒ２３を選択すると「お客様情報」ダイアログボックスＲ３（図３２）が現れ、顧客情報が表示される。ダイアログボックスＲ３の「戻る」ボタンＢｒ３１を選択すると、ダイアログボックスＲ３が消去され、プリント受注画面Ｒ２に戻ることとなる。
【０１３２】
以上の電子商取引システム１の動作により、販売店におけるデジタルカメラの販売状況に応じてプリントの売買注文を配分するため、販売店の反発を緩和して受注したプリントの売買注文を各販売店に分配できる。
【０１３３】
また、メーカが電子商取引システム１を採用して新規に参入する場合には、物流センターや販売センターに対する新たな投資が必要ないため、ＥＣサイトの損益分岐点を低く設定できる。
【０１３４】
さらに、ＥＣサイトで受注した仕事を販売店に委託することで、販売店は、従来の仕事の量的拡大及び予備能力の活用により、設備投資などの大きな投資をせずに利益を上げることが可能となる。一方、メーカは、ＥＣサイトで受注した仕事を分配することにより、従来のインセンティブで必要であった原資なしで自社製品の販売を促進できる。
【０１３５】
＜変形例＞
◎上記実施形態における販売店のポイントについては、次のように加算しても良い。
【０１３６】
・販売店における、自社製品、宣伝媒体の面積、場所をポイントに加算する。例えば、ショーウインド中段であれば、下段、上段に比べて＋１０００ポイント加算する。すなわち、デジタルカメラなどの自社製品の販売に関する販売店の取り組み度合に応じた重み付けを行って、プリント注文の配分量を設定するようにしても良い。
【０１３７】
・販売店の属する地域により、ポイントを加算する。例えば、販売激戦地域では、付加ポイントを５割増しにする。すなわち、販売店の販売地域に応じた重み付けを行って、プリント注文の配分量を設定するようにしても良い。
【０１３８】
◎上記実施形態における販売店への仕事の分配については、次のようにしても良い。
【０１３９】
・販売店が選択した種類の仕事のみ分配する。例えば、上記のプリントサービスの他に、額に入れるサービスや、証明用写真のプリントサービスを行う販売店においては、それらから販売店が選択した仕事のみを分配する。
【０１４０】
・納期の短い仕事については、必要とする付加ポイントを少なくする、または逆に販売店に付加ポイントを付与する。これにより、納期の短い仕事についての配分がスムーズに行えることとなる。
【０１４１】
◎上記実施形態における写真画像については、ユーザからＷｅｂ  Ｐｈｏｔｏ  Ｓｉｔｅにアップロードするのは必須でなく、画像データの格納場所、サイズなどの形式的な情報をＷｅｂ  Ｐｈｏｔｏ  Ｓｉｔｅに送信し、画像データそのものをユーザのコンピュータ内に格納するようにしても良い。この場合には、販売店が写真画像をプリントする際に、ユーザのコンピュータ内に格納される画像データを取得することとなる。これにより、Ｗｅｂ  Ｐｈｏｔｏ  Ｓｉｔｅのサーバにおいて画像データを保管する負担を軽減できる。
【０１４２】
◎また、上記実施形態では「カメラ販売店」を例に挙げて説明したが、本発明が適用される範囲は「カメラ販売店」に限定されない。そのため、「商品」もカメラとプリントとに限定されるものではない。
【０１４３】
【発明の効果】
以上説明したように、請求項１ないし請求項６の発明によれば、所定の商品の販売数量に関する情報を用いて、前記所定の商品の全販売量に対する複数の販売店それぞれにおける販売量の比率を算出し、該比率に基づいて前記複数の販売店のそれぞれに対する受注した商品の発注の配分量を算出し発注する。その結果、ＥＣサイトなどを運営するメーカが、販売店で扱っている商品の売買注文を受注する場合に、販売店の反発を緩和して受注した売買注文を各販売店に分配できる。
【０１４４】
特に、請求項２の発明においては、複数種類の商品ごとに定められる重み付け係数を用いて前記複数の販売店それぞれにおける販売量を数値化し、該数値情報を用いて前記販売量の比率を算出するため、複数種類の商品の販売状況を考慮して配分量を設定できる。
【０１４７】
また、請求項３の発明においては、配分量が上限受注量より多い場合には、当該販売店に関しては上限受注量を新たな配分量とするため、販売店の事情を考慮した配分ができる。
【０１４８】
また、請求項４の発明においては、配分量が下限受注量より少ない場合には、当該販売店に関しては０枚を新たな配分量とするため、販売店の事情を考慮した配分ができる。
【０１４９】
また、請求項７および請求項８の発明においては、所定の商品の販売数量に関する情報を用いて、前記所定の商品の全販売量に対する複数の販売店それぞれにおける販売量の比率を算出し、該比率に基づいて前記複数の販売店のそれぞれに対するプリントサービスの画像データプリントの配分量を算出し発注する。その結果、ＥＣサイトなどを運営するメーカが、販売店で扱っているプリントサービスを受注する場合に、販売店の反発を緩和して受注した売買注文を各販売店に分配できる。また、画像データに関するプリントの注文であるため、販売店の設備を活用できる。
【図面の簡単な説明】
【図１】本発明の実施形態に係る電子商取引システム１の概略構成を示す図である。
【図２】ユーザのコンピュータ２で表示される画面の遷移を説明する図である。
【図３】ユーザログイン画面Ｕ１を示す図である。
【図４】ユーザ登録画面Ｕ２を示す図である。
【図５】写真画像Ｂｏｘ画面Ｕ３を示す図である。
【図６】画像のアップロード画面Ｕ４を示す図である。
【図７】プリント注文画面Ｕ５を示す図である。
【図８】精算画面Ｕ６を示す図である。
【図９】管理者のコンピュータ４で表示される画面の遷移を説明する図である。
【図１０】管理者ログイン画面Ｍ１を示す図である。
【図１１】プリント発注管理画面Ｍ２を示す図である。
【図１２】製品別ポイント比重設定画面Ｍ３を示す図である。
【図１３】「製品別ポイント比重設定  追加」ダイアログボックスＭ４を示す図である。
【図１４】「製品別ポイント比重設定  修正」ダイアログボックスＭ５を示す図である。
【図１５】プリント店管理画面Ｍ６を示す図である。
【図１６】「プリント店管理  追加」ダイアログボックスＭ７を示す図である。
【図１７】「プリント店管理  修正」ダイアログボックスＭ８を示す図である。
【図１８】プリント進捗管理画面Ｍ９を示す図である。
【図１９】「お客様情報」ダイアログボックスＭ１０を示す図である。
【図２０】「他店振り替え」ダイアログボックスＭ１１を示す図である。
【図２１】販売店別のポイント集計を説明するための図である。
【図２２】ポイントシェアによるポイントの分配を説明するための図である。
【図２３】プリント作業の分配の動作を説明するフローチャートである。
【図２４】全販売店（特約店を除く）のポイント計算を説明するフローチャートである。
【図２５】販売店のポイント計算を説明するフローチャートである。
【図２６】ポイントシェアｎ番目の販売店（特約店を除く）への実割当枚数の計算を説明するフローチャートである。
【図２７】発注の組み合わせの処理を説明するフローチャートである。
【図２８】発注の組み合わせの処理を説明するための図である。
【図２９】受注者のコンピュータ３で表示される画面の遷移を説明する図である。
【図３０】受注者ログイン画面Ｒ１を示す図である。
【図３１】プリント受注画面Ｒ２を示す図である。
【図３２】「お客様情報」ダイアログボックスＲ３を示す図である。
【符号の説明】
１  電子商取引システム
２  ユーザのコンピュータ
３  受注者のコンピュータ
４  管理者のコンピュータ
５  サーバ
９  記録媒体
【図１】
0003633887.tif 000002
【図２】
0003633887.tif 000003
【図３】
0003633887.tif 000004
【図４】
0003633887.tif 000005
【図５】
0003633887.tif 000006
【図６】
0003633887.tif 000007
【図７】
0003633887.tif 000008
【図８】
0003633887.tif 000009
【図９】
0003633887.tif 000010
【図１０】
0003633887.tif 000011
【図１１】
0003633887.tif 000012
【図１２】
0003633887.tif 000013
【図１３】
0003633887.tif 000014
【図１４】
0003633887.tif 000015
【図１５】
0003633887.tif 000016
【図１６】
0003633887.tif 000017
【図１７】
0003633887.tif 000018
【図１８】
0003633887.tif 000019
【図１９】
0003633887.tif 000020
【図２０】
0003633887.tif 000021
【図２１】
0003633887.tif 000022
【図２２】
0003633887.tif 000023
【図２３】
0003633887.tif 000024
【図２４】
0003633887.tif 000025
【図２５】
0003633887.tif 000026
【図２６】
0003633887.tif 000027
【図２７】
0003633887.tif 000028
【図２８】
0003633887.tif 000029
【図２９】
0003633887.tif 000030
【図３０】
0003633887.tif 000031
【図３１】
0003633887.tif 000032
【図３２】
0003633887.tif 000033